(57)【要約】洗濯物干し装置に設置された、湿った洗濯物を乾かすための折り畳み式送風機である。送風機は、空気吸入口と、複数のシャッタを有する底部空気吹出し口を備えた第一の空気路部と、第一の空気路部に取付けられ、送風機を使用しない場合に第一の空気路部と共に折り畳むことができる第二の空気路部とを備える。１つまたは複数の脚部により、洗濯物から少し離れた上側で折り畳み式送風機を保持することができる。エンジン部は、折り畳み式送風機が湿った洗濯物から少し離れた上側で位置付けられると、洗濯物の乾燥工程の速度を上げるために、空気が底部空気吹出し口から洗濯物に流れ込むように、空気吸入口を通して外部から空気を吸い込む。 【選択図】図７
2014506507.tif 000002
【特許請求の範囲】
【請求項１】
洗濯物干し装置上の湿った洗濯物を乾かすための折り畳み式送風機であって、
（ｉ）空気吸入口と、
（ｉｉ）複数のシャッタを有する底部空気吹出し口を備える第一の空気路部と、
（ｉｉｉ）前記第一の空気路部に取付けられ、前記送風機を使用しない場合は前記第一の空気路部と共に折り畳むことができる第二の空気路部と、
（ｉｖ）洗濯物から少し上側で前記折り畳み式送風機を保持するように適合された１つまたは複数の脚部と、
（ｖ）前記折り畳み式送風機が前記湿った洗濯物から少し離れた上側で配置される場合に、前記洗濯物の乾燥工程の速度を上げるために、前記底部空気吹出し口から前記洗濯物に空気が流れ込むように、前記空気吸入口を通して外部から空気を吸い込むためのエンジン部と、を備える折り畳み式送風機。
【請求項２】
前記空気吹出し口から流れ出す前記空気の温度を選択するための温度調整器を備える、請求項１に記載の折り畳み式送風機。
【請求項３】
前記空気吹出し口から流れ出す前記空気の速度を選択するための速度調整器を備える、請求項１に記載の折り畳み式送風機。
【請求項４】
前記各空気路部の前記底部空気吹出し口の前記シャッタは、前記流れ出す空気を複数方向に分散させるためにスイング動作を行うことができる、請求項１に記載の折り畳み式送風機。
【請求項５】
前記１つまたは複数の脚部は、洗濯物の５〜１０センチメートル上部で前記折り畳み式送風機を保持するように適合されている、請求項１に記載の折り畳み式送風機。
【請求項６】
別の空気路部に取付けることができ、前記送風機を使用しない場合、前記第一の空気路部と共に折り畳むことができる、１つまたは複数の空気路部をさらに備える、請求項１に記載の折り畳み式送風機。
【請求項７】
前記各空気路部は、複数のシャッタを有する上部空気吹出し口を有する、請求項１に記載の折り畳み式送風機。
【請求項８】
前記各空気路部は取り外し可能なサイドカバーを有し、前記サイドカバーは空気路が別の空気路部に取付けられる場合に取り外すことができ、前記サイドカバーは前記側面から空気が抜け出ることを防止するために閉じたサイドカバーとすることができ、または前記サイドカバーは前記空気路部の前記側面を空気吹出し口にするために、シャッタを備えたサイドカバーとすることができる、請求項１に記載の折り畳み式送風機。
【発明の詳細な説明】
【技術分野】
【０００１】
本発明は、概ね送風機に関し、詳細には、洗濯物を乾かすために適合した送風機に関する。
【背景技術】
【０００２】
濡れた洗濯物は、湿気を完全に飛ばす際に乾燥機に置くか、または濡れた洗濯物を干して自然に乾くのを待つことにより乾かすことができる。乾燥機は現実的な解決策ではあるが、全ての家に乾燥機が設置されているわけではなく、また場合によっては、過剰な熱が加えられたり、洗濯物が動いて衣類同士が絡まったりして、乾燥機が繊維を劣化させてしまう場合がある。 
【０００３】
濡れた洗濯物は屋外に干すことができ、気候が暖かく乾燥している時には、濡れた洗濯物は大抵一日で乾かすことができる。しかし、ある種の衣類は、長時間直射日光にさらされると逆に影響を受ける場合がある。さらに、全ての人々が屋外の洗濯設備に自由に出入りできるわけではなく、雨が降っていたり雨が降りそうな場合、洗濯物を屋外に置いて乾かしたりしない。 
【０００４】
濡れた洗濯物を乾かすために多くの人々が一般的に使用する別の解決策は、室内用洗濯物干し装置を使用することである。このような装置は、収納目的で大抵は折り畳み可能であり、外の天気から洗濯物が保護されるという利点がある。このような洗濯物干し装置は、外が雨だったり湿度が高い場合でも使用することができる。一方、多くの人々は家の中で洗濯物を干す専用スペースを持っておらず、結局、不便なことに、リビングルームやバスルームなどに洗濯物干し装置を設置することになる。湿度が高い環境では、家の中で洗濯物を乾かすのに時間がかかる場合があり、従って家庭に負担がかかる。さらに、家庭が一つの洗濯物干し装置しか持っていなければ、洗濯物干し装置上の洗濯物が乾いて準備が整うまで新たな洗濯物を干して乾かすことができない。 
【０００５】
従って、家の中で濡れた洗濯物を乾かす時間を促進させる便利な解決策を提供することが今もなお必要とされている。 
【発明の概要】
【課題を解決するための手段】
【０００６】
本発明の目的は、湿った洗濯物を乾かすための送風機を提供することである。
【０００７】
本発明の別の目的は、洗濯物干し装置で、室内に配置された湿った洗濯物を乾かすための送風機を提供することである。
【０００８】
本発明のさらなる目的は、湿った洗濯物を乾かすための折り畳み式送風機を提供することである。
【０００９】
本発明は、従って、洗濯物干し装置上の、湿った洗濯物を乾かすための折り畳み式送風機に関し、該送風機は、
（ｉ）空気吸入口と、
（ｉｉ）複数のシャッタを有する底部空気吹出し口を備える第一の空気路部と、
（ｉｉｉ）前記第一の空気路部に取付けられ、前記送風機を使用しない場合は前記第一の空気路部と共に折り畳むことができる第二の空気路部と、
（ｉｖ）洗濯物から少し離れた上側で前記折り畳み式送風機を保持するように適合された１つまたは複数の脚部と、
（ｖ）前記折り畳み式送風機が前記湿った洗濯物から少し離れた上側で配置される場合に、前記洗濯物の乾燥工程の速度を上げるために、前記底部空気吹出し口から前記洗濯物に空気が流れ込むように、前記空気吸入口を通して外部から空気を吸い込むためのエンジン部と、を備える。
【００１０】
幾つかの実施形態では、前記折り畳み式送風機は、前記空気吹出し口から流れ出す前記空気の温度を選択するための温度調整器を備える。
【００１１】
幾つかの実施形態では、前記折り畳み式送風機は、前記空気吹出し口から流れ出す前記空気の速度を選択するための速度調整器を備える。
【００１２】
幾つかの実施形態では、前記各空気路部の前記底部空気吹出し口のシャッタは、前記流れ出す空気を複数方向に分散させるためにスイング動作を行うことができる。
【００１３】
幾つかの実施形態では、前記１つまたは複数の脚部は、洗濯物の５〜１０センチメートル上部で前記折り畳み式送風機を保持するように適合されている。
【００１４】
幾つかの実施形態では、前記送風機から延出した前記脚部の大きさは、使用者の好みに応じて変更することができる。 
【００１５】
幾つかの実施形態では、前記折り畳み式送風機は、別の空気路部に取付けることができ、前記送風機を使用しない場合、前記１つまたは複数の空気路部と共に折り畳むことができる、１つまたは複数の空気路部を備える。
【００１６】
幾つかの実施形態では、前記各空気路部は、複数のシャッタを備えた上部空気吹出し口を有する。 
【００１７】
幾つかの実施形態では、前記各空気路部は取り外し可能なサイドカバーを有し、前記サイドカバーは空気路が別の空気路部に取付けされた場合は取り外すことができ、前記サイドカバーは前記側面から空気が抜け出ることを防止するために閉じたサイドカバーとすることができ、または前記サイドカバーは前記空気路部の前記側面を空気吹出し口にするために、シャッタを備えたサイドカバーとすることができる。
【図面の簡単な説明】
【００１８】
【図１】折り畳まれた位置にあるエンジン部と二つの空気路を示す、本発明の一実施形態の送風機の正面図である。下方の空気路は、底部と側面とに空気吹出し口を有する。
【図２】二つの空気路の各々の底部にある空気吹出し口と遠位側空気路の側面にある空気吹出し口を備える、折り畳まれていない図１の送風機を示す。
【図３】設置されたシャッタを示す。
【図４】カバーが開いた状態の、遠位側空気路の側面空気吹出し口を示す。この位置で、空気路を別の空気路に取付けることができ、または開口した空気吹出し口を通して空気を抜き出すことができる。
【図５】エンジン部と折り畳まれた二つの空気路を示す、送風機の正面を示す。
【図６】洗濯物から少し離れた上側に送風機を設置できるように、洗濯物干し装置に適合できる四つの脚部を示す、送風機の底面斜視図である。
【図７】洗濯物干し装置に設置された本発明の送風機の例示である。
【発明を実施するための形態】
【００１９】
以下における種々の実施形態の詳細な説明では、実施形態の一部を形成する添付図面を参照し、本発明が実施され得る特定の実施形態を例示することにより該実施形態を明らかにする。本発明の範囲から逸脱することなく他の実施形態が利用され、構造的変更が成され得ることを理解されたい。
【００２０】
本発明は、洗濯物干し装置に設置された、湿った洗濯物を乾かすための送風機に関する。本発明の送風機は、少なくとも一つの空気吸入口と少なくとも一つの空気吹出し口を有する。空気はエンジン部により吸い込まれ、また該エンジン部は空気を暖める。次に、空気は１つまたは複数の空気路を通り、洗濯物の方向に底部に設置された空気吹出し口を通って１つまたは複数の空気路を抜け出る。
【００２１】
図１を参照すると、空気吸入口（不図示）を介して（左側に矢印で示す）空気を吸い込むエンジン部１０を備える、一実施形態の送風機が示される。次に、空気は第一の空気路２０に空気が移動する前にエンジン部１０により暖められる。図１は、二つの空気路、つまりエンジン部１０に取付けられた第一の空気路２０と第一の空気路２０の上部で折り畳まれた第二の空気路２５とを有する、一実施形態の送風機を示す。各空気路２０，２５は、乾かすべき湿った洗濯物の方向に、暖められた空気が抜け出る底部空気吹出し口（不図示）を有する。底部空気吹出し口を通って空気路２０を抜け出る空気は、下向きの矢印で示されている。 
【００２２】
幾つかの実施形態では、エンジン部１０は、送風機（加熱機または冷却機）から抜け出る空気の温度を選択するための温度調整器３０を有する。幾つかの実施形態では、エンジン部１０は、（気流を強めるか、または弱める）送風機から抜け出る空気の速度を選択するための速度調整器４０を有する。
【００２３】
空気路２０の遠位壁５０は、任意でシャッタを備えたサイドカバーを有する。送風機が、例えば、少量の洗濯物を乾かすために折り畳まれた位置の状態で、さらにサイドカバーがシャッタを備えている場合、図１の右を指す矢印により示すように、シャッタを開口させておくことで温風が遠位壁５０からも抜け出る。
【００２４】
空気路２５は、遠位壁６０と近位壁７０を有する。遠位壁６０は恒久的に開いたままにするか、または遠位壁６０は取り外し可能なサイドカバーを有することができる。遠位壁５０，６０の取り外し可能なカバーは、送風機から取り外し分離するか、または取り外し可能なカバーは取り外し、送風機の側面に対して折り畳むことができる。近位壁７０は、任意でシャッタシステムを有することができる。 
【００２５】
図２は、開放位置にある送風機を示し、二つの空気路２０，２５は折り畳まれていない。二つの空気路２０,２５が結合され、空気を移動させる単一の内部空間を形成することができるように遠位壁５０，６０のサイドカバーは取り外されている。折り畳まれていない場合、近位壁７０が送風機の外壁となる。
【００２６】
図３は、サイドシャッタ８０システムを設置した側面空気吹出し口を備える近位壁７０を示し、サイドシャッタ８０を開いたままにすると、図２において右を指す矢印により示し、図３において下向きの矢印により示すように、送風機の側面から空気を抜き出すことができる。送風機の側面に向かって抜け出る空気は、送風機の側面で洗濯物を乾かすか、および／または部屋を暖める役割を果たす。サイドシャッタ８０が閉じられると、空気は全て底部空気吹出し口（不図示）から抜け出る。 
【００２７】
図４は、開き位置にある壁７０のサイドカバーを示す送風機の側面斜視図であり、ここでは、サイドシャッタ８０が取り外されている。今度は、空気は送風機の開口側面７０から抜け出る。幾つかの実施形態では、二つの空気路２０，２５より多い空気路を使用可能であり、この場合、開口壁７０は第三の空気路に接続する。本発明は、使用される空気路の数に限定されない。 
【００２８】
幾つかの実施形態では、底部空気吹出し口９０のシャッタは、より広い範囲に亘って洗濯物を取り扱うために横にスイング動作を行うことができる。スイング動作は、エンジンにより操作され、該エンジンは、専用エンジン（不図示）またはエンジン部１０の一部とすることができる。
【００２９】
図５は、送風機の上面斜視図である。空気路２５は、上部に空気吹出し口を有する。折り畳まれていない場合、空気吹出し口は送風機の底部空気吹出し口９０として機能する。当業者に公知の任意の空気吸入口が本発明に使用できるが、エンジン部１０は、通常、シャッタシステムを設置した空気吸入口１００を有する。 
【００３０】
図６は、送風機の底面斜視図である。調節可能な脚部１１０により、洗濯物干し装置の洗濯物から少し離れた上側で送風機を配置することができる。本明細書で用いる「脚部」という用語は、洗濯物から少し離れた上側で送風機を配置することができる任意の要素について広義に解釈されるべきである。図６は、四つの脚部１１０を示す。幾つかの実施形態では、脚部１１０は、異なる洗濯物干し装置に送風機を適合させるために、送風機の底面に沿って予め構成された穴１２０に設置し、取り外すことができる。幾つかの実施形態では、脚部１１０の位置は、脚部１１０の位置を変えるために、レール、トラック、または当業者に公知の類似装置に沿って脚部１１０を移動させることにより変更することがでる。
【００３１】
幾つかの実施形態では、送風機と洗濯物を隔てる「少し離れた」という用語は、５〜１０センチメートルとすることができるが、本発明は任意の範囲を包含する。送風機が、例えば１センチメートル未満など洗濯物に近すぎる位置に設置される場合、温風が洗濯物の繊維を焦がするか、または傷める可能性がある。送風機が、例えば７５センチメートルを上回るなど、湿った洗濯物から遠すぎる場合、送風機の効率が下がる。 
【００３２】
幾つかの実施形態では、送風機が壁に取付けられるか、または壁から、洗濯物から少し離れた上側の高さまで折り畳まれていないようにするため、脚部１１０が送風機を壁に接続させる。
【００３３】
幾つかの実施形態では、脚部１１０はロープなどの可撓性材料から形成され、送風機の上部に取付けられる。送風機は、使用しない場合は天井に備え付け、使用する場合は乾かしている洗濯物の上側に引き下げることができる。 
【００３４】
図７は、送風機の脚部１１０を介して洗濯物干し装置の上部に位置する、本発明の送風機の例示である。
【００３５】
幾つかの実施形態では、脚部１１０は送風機から引き抜くことができ、従ってその大きさは変更することができる。幾つかの実施形態では、送風機が床上に単独で立ち、脚部１１０が洗濯物干し装置の上部と接触しないように、脚部１１０は長くて床に届く。
【００３６】
本発明を詳細に説明したが、本発明の教示から逸脱しない変更や改良が当業者には明白である。そのような変更や改良は、本発明および添付の請求の範囲の範囲内にあるものとみなされる。 
【図１】
2014506507.tif 000003
【図２】
2014506507.tif 000004
【図３】
2014506507.tif 000005
【図４】
2014506507.tif 000006
【図５】
2014506507.tif 000007
【図６】
2014506507.tif 000008
【図７】
2014506507.tif 000009
【国際調査報告】
2014506507.tif 000010
2014506507.tif 000011